(57)【要約】  抽出された飲料を調製するための飲料抽出システム（１００）で使用するためのカートリッジ（２０）は、チャンバー（３０）を有するカートリッジ本体（２２）と、チャンバー（３０）内に配置された風味剤（３４）と、を含む。第一の識別要素（４２）は、カートリッジ（２０）に適用され、第一のカートリッジ認証器を提供する。第二の識別要素（４４）は、カートリッジ（２０）に適用され、第二のカートリッジ認証器を提供する。
2020523259.tif 000002
【特許請求の範囲】
【請求項１】
抽出された飲料を調製するために飲料抽出システムで使用するためのカートリッジであって、
チャンバーを有するカートリッジ本体と、
前記チャンバー内に配置された風味剤と、
カートリッジに適用される第一の識別要素であって、第一のカートリッジ認証器を提供する第一の識別要素と、
カートリッジに適用される第二の識別要素であって、第二のカートリッジ認証器を提供する、第二の識別要素と、を含む、カートリッジ。
【請求項２】
前記第一の識別要素および前記第二の識別要素が異なる、請求項１に記載のカートリッジ。
【請求項３】
前記第一の識別要素が二つの方向に拡張するデータを含む、請求項１に記載のカートリッジ。
【請求項４】
前記第一の識別要素がラスタ画像を含む、請求項１に記載のカートリッジ。
【請求項５】
前記ラスタ画像が、カートリッジのブランドと関連するロゴおよび商標の少なくとも一つを含む、請求項１に記載のカートリッジ。
【請求項６】
カートリッジの前記第一のカートリッジ認証器が、カートリッジのブランドを判定することを含む、請求項１に記載のカートリッジ。
【請求項７】
前記第一のカートリッジ認証器が、カートリッジが飲料抽出システムでの使用に適合するかどうかを判定することを含む、請求項１に記載のカートリッジ。
【請求項８】
前記第二の識別要素が、一次元コードおよび二次元コードのうちの一つを含む、請求項１に記載のカートリッジ。
【請求項９】
前記第二の識別要素がバーコードを含む、請求項１に記載のカートリッジ。
【請求項１０】
前記第二の識別要素が、
第一の構成要素と、
前記第一の構成要素とは異なる第二の構成要素とをさらに含み、
前記第一の構成要素および前記第二の構成要素が異なるタイプの情報を含む、請求項１に記載のカートリッジ。
【請求項１１】
前記第一の構成要素が識別コードを含む、請求項１０に記載のカートリッジ。
【請求項１２】
前記第一の構成要素が、前記第二のカートリッジ認証器を提供するように動作可能である、請求項１０に記載のカートリッジ。
【請求項１３】
前記第二のカートリッジ認証器が、カートリッジが以前に使用されていたかどうかを判定することを含む、請求項１２に記載のカートリッジ。
【請求項１４】
前記第二の構成要素が、抽出された飲料を調製するためのレシピの一つまたは複数のパラメータと関連付けられる、請求項１０に記載のカートリッジ。
【請求項１５】
前記第二の構成要素がレシピのルックアップコードを含む、請求項１４に記載のカートリッジ。
【請求項１６】
前記第一の識別要素および前記第二の識別要素が、前記カートリッジ本体の第一の表面に配置される、請求項１に記載のカートリッジ。
【請求項１７】
前記第一の識別要素が、前記カートリッジ本体の第一の表面に位置し、前記第二の識別要素が、前記カートリッジ本体の第二の表面に配置され、前記第一の表面が前記第二の表面とは異なる、請求項１に記載のカートリッジ。
【請求項１８】
カートリッジを使用して抽出された飲料を調製する方法であって、
カートリッジの第一の認証を実施するために第一の識別要素をスキャンおよび処理することと、
カートリッジの第二の認証を実施するために第二の識別要素をスキャンおよび処理することと、
前記第一の認証および前記第二の認証に応答して抽出された飲料を調製することと、を含む、方法。
【請求項１９】
前記第一の識別要素をスキャンおよび処理することが、カートリッジのブランドを判定することを含む、請求項１８に記載の方法。
【請求項２０】
前記第一の識別要素をスキャンおよび処理することが、カートリッジが飲料抽出システムでの使用に適合するかどうかを判定することを含む、請求項１８に記載の方法。
【請求項２１】
前記第二の識別要素をスキャンおよび処理することが、
前記第二の認証を実施するために、前記第二の識別要素の第一の構成要素をスキャンおよび処理することと、
抽出された飲料を調製するための一つまたは複数のパラメータを決定するために、前記第二の識別要素の第二の構成要素をスキャンおよび処理することと、をさらに含む、請求項１８に記載の方法。
【請求項２２】
前記第二の識別要素の第一の構成要素をスキャンおよび処理することが、カートリッジが以前に使用されていたかどうかを判定することを含む、請求項２１に記載の方法。
【請求項２３】
前記第二の識別要素の第二の構成要素をスキャンおよび処理することが、カートリッジに関連付けられたレシピのルックアップコードを識別することを含む、請求項２１に記載の方法。
【発明の詳細な説明】
【技術分野】
【０００１】
本開示の例示的な実施形態は、飲料製造システムなどの飲料の調製のためのカートリッジ、より具体的には、飲料製造機械によるカートリッジの検出を可能にする識別要素を含むカートリッジに関する。
【背景技術】
【０００２】
飲料製造システムは、分けられた飲料、特に、コーヒー、紅茶、ミルク粉末などの飲料成分の所定量を含むカートリッジに基づき発展してきた。こうしたシステムの利点は広く認識されてきた。特に、あらかじめ包装済みのカートリッジを使う飲料製造システムは使用に便利であり、清潔な操作を実施し、供給される抽出された飲料の向上した品質管理を提供する。これらの利点のため、カートリッジは、複数の製造業者によって多くのバリエーションの中で市場に流れている。これらカートリッジは、外観が非常に類似していることがよくあり、一つの製造業者のカプセルが別の製造業者によって設計されたコーヒー機で使用される可能性がある。これにより、重大なセキュリティ問題や機械の損傷が生じる場合がある。
【発明の概要】
【発明が解決しようとする課題】
【０００３】
本発明は上記した懸案を鑑みてなされたものである。
【課題を解決するための手段】
【０００４】
一実施形態によれば、抽出された飲料を調製するための飲料抽出システムで使用するためのカートリッジは、チャンバーを持つカートリッジ本体およびチャンバー内に配置された風味剤を含む。第一の識別要素はカートリッジに適用され、第一のカートリッジ認証器（ａｕｔｈｅｎｔｉｃａｔｏｒ）を提供する。第二の識別要素はカートリッジに適用され、第二のカートリッジ認証器を提供する。
【０００５】
上述の特徴のうちの一つまたは複数に加えて、または代替として、さらなる実施形態では、前述の第一の識別要素および前述の第二の識別要素は異なる。
上述の特徴のうちの一つまたは複数に加えて、または代替として、さらなる実施形態では、前述の第一の識別要素は二つの方向に拡張するデータを含む。
【０００６】
上述の特徴のうちの一つまたは複数に加えて、または代替として、さらなる実施形態では、前述の第一の識別要素はラスタ画像を含む。
上述の特徴のうちの一つまたは複数に加えて、または代替として、さらなる実施形態では、前述のラスタ画像は、カートリッジのブランドと関連付けられたロゴおよび商標の少なくとも一つを含む。
【０００７】
上述の特徴のうちの一つまたは複数に加えて、または代替として、さらなる実施形態において、前述の第一のカートリッジ認証器、前述のカートリッジが、カートリッジのブランドを判定することを含む。
【０００８】
上述の特徴のうちの一つまたは複数に加えて、または代替として、さらなる実施形態では、前述の第一のカートリッジ認証器は、カートリッジが飲料抽出システムでの使用に適合するかどうかを判定することを含む。
【０００９】
上述の特徴のうちの一つまたは複数に加えて、または代替として、さらなる実施形態では、前述の第二の識別要素は、一次元コードおよび二次元コードのうちの一つを含む。
上述の特徴のうちの一つまたは複数に加えて、または代替として、さらなる実施形態では、前述の第二の識別要素は、バーコードを含む。
【００１０】
上述の特徴のうちの一つまたは複数に加えて、または代替として、さらなる実施形態では、前述の第二の識別要素は、第一の構成要素および前述の第一の構成要素とは異なる第二の構成要素をさらに含む。第一の構成要素および第二の構成要素は、異なるタイプの情報を含む。
【００１１】
上述の特徴のうちの一つまたは複数に加えて、または代替として、さらなる実施形態では、前述の第一の構成要素は、識別コードを含む。
上述の特徴のうちの一つまたは複数に加えて、または代替として、さらなる実施形態では、前述の第一の構成要素は、前述の第二のカートリッジ認証器を提供するように動作可能である。
【００１２】
上述の特徴のうちの一つまたは複数に加えて、または代替として、さらなる実施形態では、前述の第二のカートリッジ認証器は、カートリッジが以前に使用されていたかどうかを判定することを含む。
【００１３】
上述の特徴のうちの一つまたは複数に加えて、または代替として、さらなる実施形態では、前述の第二の構成要素が、抽出された飲料を調製するためのレシピの一つまたは複数のパラメータと関連付けられている。
【００１４】
上述の特徴のうちの一つまたは複数に加えて、または代替として、さらなる実施形態では、前述の第二の構成要素は、レシピのルックアップコードを含む。
上述の特徴のうちの一つまたは複数に加えて、または代替として、さらなる実施形態では、前述の第一の識別要素および前述の第二の識別要素は、前述のカートリッジ本体の第一の表面に配置される。
【００１５】
上述の特徴のうちの一つまたは複数に加えて、または代替として、さらなる実施形態では、前述の第一の識別要素は前述のカートリッジ本体の第一の表面に位置し、前述の第二の識別要素は前述のカートリッジ本体の第二の表面に配置され、前述の第一の表面は前述の第二の表面とは異なる。
【００１６】
別の実施形態によれば、カートリッジを使用して抽出された飲料を調製する方法は、カートリッジの第一の認証を実施するために第一の識別要素をスキャンし、および処理することと、カートリッジの第二の認証を実施するために第二の識別要素をスキャンし、および処理することと、前述の第一の認証および前述の第二の認証に応答して抽出された飲料を調製することとを含む。
【００１７】
上述の特徴のうちの一つまたは複数に加えて、または代替として、さらなる実施形態では、前述の第一の識別要素をスキャンし、および処理することは、カートリッジのブランドを判定することを含む。
【００１８】
上述の特徴のうちの一つまたは複数に加えて、または代替として、さらなる実施形態では、前述の第一の識別要素をスキャンし、および処理することは、カートリッジが飲料抽出システムでの使用に適合するかどうかを判定することを含む。
【００１９】
上述の特徴のうちの一つまたは複数に加えて、または代替として、さらなる実施形態では、前述の第二の識別要素をスキャンし、および処理することは、前述の第二の認証を実行するために、前述の第二の識別要素の第一の構成要素をスキャンし、および処理することと、抽出された飲料を調製するための一つまたは複数のパラメータを決定するために、前述の第二の識別要素の第二の構成要素をスキャンし、および処理することとをさらに含む。
【００２０】
上述の特徴のうちの一つまたは複数に加えて、または代替として、さらなる実施形態では、前述の第二の識別要素の第一の構成要素をスキャンし、および処理することは、カートリッジが以前に使用されていたかどうかを判定することを含む。
【００２１】
上述の特徴のうちの一つまたは複数に加えて、または代替として、さらなる実施形態では、前述の第二の識別要素の第二の構成要素をスキャンし、および処理することは、カートリッジに関連付けられたレシピのルックアップコードを識別することを含む。
【００２２】
本明細書に組み込まれ、本明細書の一部を形成する添付図面は、本開示のいくつかの態様を含み、本開示の原理を説明する役割を果たす。
【図面の簡単な説明】
【００２３】
【図１Ａ】実施形態による飲料抽出システムで使用するカートリッジの斜視図である。
【図１Ｂ】実施形態による飲料抽出システムで使用するカートリッジの側面図である。
【図１Ｃ】実施形態による飲料抽出システムで使用するカートリッジの断面図である。
【図２】実施形態によるカートリッジと関連付けられた少なくとも一つの識別子の詳細図である。
【図３】飲料抽出システムの一例の概略図である。
【発明を実施するための形態】
【００２４】
図面を参照しながら、本開示の実施形態について、利点および特徴とともに詳細に説明する。
ここで図１Ａ〜１Ｃを参照すると、抽出された飲料を調製する際に使用するためのカートリッジ２０の例が図示されている。本開示の文脈では、「カートリッジ」という用語は、任意のカプセル、ポッド、サシェ、ラッパーまたは飲料抽出システムで使用するのに適した材料を含むその他の容器またはケースを包含するために使用される。カートリッジを使用して抽出された飲料を調製するために動作可能な飲料抽出システム１００の一例は、当該技術分野で公知であり、図３に概略的に図示されている。
【００２５】
示されるように、カートリッジ２０は、上部２４、底部２６、および内部チャンバー３０を画定するように間に延在する一つまたは複数の側壁２８を持つカートリッジ本体２２を含む。一実施形態では、カートリッジ本体２２は、例えばプラスチックなどの硬質または半硬質材料から形成される。図示した非限定的実施形態では、カートリッジ本体２２は、円形断面を含む一般的に円錐台形状を持つ。示されるように、底部２６に隣接する本体２２の直径は、上部２４に隣接する本体２２の直径よりも小さい。しかし、任意の形状を有するカートリッジ２０が本明細書で意図されていることが理解されるべきである。
【００２６】
チャンバー３０を封止するために、カートリッジ本体２２の上部２４には可撓性の膜３２が取り付けられてもよい。一実施形態では、可撓性の膜３２は、本体２２の上部２４に対して一般的に相補的かまたはわずかに大きなサイズおよび形状を有する。抽出された飲料を調製するために使用される飲料抽出システムのタイプに応じて、カートリッジ２０を飲料抽出システム１００の抽出チャンバーに挿入する前に、ユーザーにより、可撓性の膜３２を取り外してもよい。別の方法として、カートリッジ２０が機能的位置で飲料抽出システム１００の抽出チャンバー内に挿入されるときに、可撓性の膜３２は、飲料抽出システム１００のニードルによって貫通され得る。
【００２７】
図１Ｃにおけるカートリッジ２０の断面図に示すように、チャンバー３０は、例えば、コーヒーグラインドまたは茶の葉などの食品または風味剤３４で少なくとも部分的に充填される。風味剤３４は、チャンバー３０内に大まかに配置されてもよく、または別の方法として、圧縮されてもよい。
【００２８】
カートリッジ２０を使用した飲料の調製中、飲料抽出システム１００は、その中に配置された風味剤３４を湿らせるために、チャンバー３０の内部に水を提供する。開口部３６は、カートリッジ本体２２の底部に形成され、それを通してカートリッジ２０内で調製された飲料が排出される。一実施形態では、開口部３６は、カートリッジ本体２２の一部分として形成され得る。別の方法として、底部２６は、カートリッジ２０が機能的位置で抽出チャンバー内に挿入されるときに、飲料抽出システム１００のニードルによって貫通され得る。さらに別の実施形態では、開口部３６は、チャンバー３０内の圧力に応答して、密封位置から開位置へと変形可能であり得る。本明細書で図示および説明したカートリッジ２０は、例示的なものとしてのみ意図されており、任意のカートリッジが本開示の範囲内であることを当業者によって理解されるべきである。
【００２９】
図２を参照すると、カートリッジ２０は、使用されるとき、飲料抽出システム１００に対し、カートリッジ２０と関連付けられた情報を提供するように構成されている。この情報を伝達するために、カートリッジ２０は一つまたは複数の識別要素４０を含む。一つまたは複数の識別要素４０は、カートリッジ２０に対する任意の位置に位置し得る。例えば、一つまたは複数の識別要素４０は、図に示す通り、可撓性の膜３２の表面上に位置してもよく、またはカートリッジ本体２０の底部２６または側壁２８上に位置し得る。さらに、複数の識別要素４０を含む実施形態では、複数の識別要素４０は、カートリッジ２０の周りに類似したまたは異なる位置に配置され得る。さらに、少なくとも一つの識別要素４０は、可撓性の膜３２などのカートリッジ２０の一部分と一体的に形成されてもよく、または別の方法として、接着剤などでそれに結合され得る。
【００３０】
一般的に４２で示される第一の識別要素は、カートリッジ２０の製造業者またはブランドを確認することによって、カートリッジ２０の第一の認証を提供するように構成される。第一の識別要素４２は、二つの方向に拡張するデータを含む非接触の識別子である。示されるように、第一の識別要素４２は、ピクセルのグリッドを表すドットマトリクスデータ構造を持つ「ラスタ化された」グラフィックまたは画像である。ラスタ画像内で、グリッドの各ピクセルは特定の色合いまたはシェードをコードする。集合的に、ピクセルは認証情報を含む画像を形成する。図示した非限定的実施形態では、ラスタ画像は、カートリッジ２０のブランドと関連するロゴまたは商標を含む。例えば、図示されていない非限定的実施形態では、ラスタ画像は、ユーザーおよび飲料抽出システム１００のうちの少なくとも一つに対して、カートリッジ２０の製造業者がＳｈａｒｋ  Ｎｉｎｊａ  Ｏｐｅｒａｔｉｎｇ  ＬＬＣであることを特定するために、「Ｎｉｎｊａ」という語を含む。しかし、当然のことながら、任意の適切なグラフィックまたは画像を使用してもよい。
【００３１】
第一の識別要素４２は、例えば、少なくとも一つのビームを放射するよう動作可能なレーザースキャナーまたはカメラなど、４３で概略的に図示されたスキャン装置を介して読み取り可能である。スキャン装置４３は、既知の方法で画像の各ピクセルを検出し、データをプロセッサに伝達するように構成される。一実施形態では、飲料抽出システム１００は、プロセッサ４７に連結されたメモリ４５を含む。第一の識別要素４２のスキャンから収集されたデータは、カートリッジ２０がシステムでの使用に適合するかどうかを判定するために、メモリ４５内に格納されたデータと比較されてもよく、または代わりに、通信ネットワークを介してリモートデータベースからアクセス可能であってもよい。プロセッサ４７が、第一の識別要素４２を介して識別されたカートリッジ２０の製造業者がシステム１００との使用に適合しないと判断した場合、システム１００は、これをユーザーに対してメッセージまたはその他の表示を提供することができる。
【００３２】
カートリッジ２０はさらに、第二の識別要素４４を含む。第二の識別要素４４は、例えばバーコードなどの機械可読コードを含む。一実施形態では、機械可読コードは、変化する幅および間隔の複数の平行線を含む一次元バーコードである。別の方法として、機械可読コードは、長方形、ドット、六角形、およびその他の幾何学的パターンを二次元で使用し得る。バーコードが本明細書で図示され説明されているが、当然のことながら、任意の適切な非接触識別要素が本明細書で意図されている。
【００３３】
第二の識別要素４４は、中に含まれる情報を検出するため、光学スキャナーまたはバーコードリーダーなど、４９で概略的に図示されたスキャン装置を介して読み取り可能である。一実施形態では、第一の識別要素４２および第二の識別要素４４は、単一のスキャン装置を介して読み取り可能であり、飲料抽出システム１００の複雑さを低減し得る。別の方法として、第一の識別要素４２は第一のスキャン装置４３を必要としてもよく、第二の識別要素４４は、第一のスキャン装置４３とは異なる第二のスキャン装置４９を必要としてもよい。
【００３４】
一実施形態では、第二の識別要素４４は、４６で概略的に図示された別個の第一の構成要素、および４８で概略的に図示された第二の構成要素を含む。第一および第二の構成要素４６、４８は、異なるタイプの情報を飲料抽出システム１００に伝達するように構成されている。一実施形態では、第一の構成要素４６は、第二の識別要素４４の第一の端５０に配置され、第二の構成要素４８は、第二の識別要素４４の第二の（反対側の）端５２の近くに配置される。さらに、第一の構成要素４６および第二の構成要素４８を形成する文字（ｃｈａｒａｃｔｅｒ）は、類似していてもよく、または異なっていてもよい。
【００３５】
第一の構成要素４６は、カートリッジ２０の第二の認証を提供する情報を含む。一実施形態では、第一の構成要素４６は、例えば、カートリッジ２０と関連付けられたシリアル番号などの識別コードまたは番号を表す。全てのカートリッジ２０は、異なる固有の識別コードで製造される。識別コードを含む第一の構成要素４６は、カートリッジ２０の再利用を防止する、または第二の識別要素４４が可撓性の膜３２上に位置する実施形態では可撓性の膜３２を異なるカートリッジで再利用することを防止するために、含まれる。一実施形態では、識別コードが飲料抽出システム１００によって読み取られ、それに関連付けられた飲料抽出プロセスが完了したら、第二の識別要素４４の第一の構成要素４６内の識別コードはもはや有効ではない。一実施形態では、抽出された飲料の調製後、第二の識別要素４４の第一の構成要素４６は読み取られない。例えば、飲料抽出システム１００は、第一の構成要素４６を損傷または変更し得る。別の方法として、識別コードは、カートリッジ２０および／または可撓性の膜３２が以前に使用されていたことを示すために、包含または除外を経て、プロセッサ４７によってアクセス可能なデータベースと関連付けられてもよい。
【００３６】
第二の識別要素４４の第二の構成要素４８は、カートリッジ２０を使用して抽出された飲料を調製するためのレシピの一つまたは複数のパラメータと関連付けられる。一実施形態では、第二の構成要素４８は、飲料抽出システム１００のメモリ内に保存された、または通信リンクを介してプロセッサ４７によってアクセス可能であるレシピを識別するために構成されたルックアップコードを含む。
【００３７】
一実施形態では、第一の識別要素４２および第二の識別要素４４は同時にスキャンされる。こうした実施形態では、第一の識別要素４２および第二の識別要素４４のそれぞれの中に含まれる情報は、逐次的に処理され得る。別の方法として、第一の識別要素４２および第二の識別要素４４は、逐次的にスキャンまたは読み取られ得る。例えば、第一の識別要素４２を読み取り、カートリッジ２０がブランドに真正性があることだけでなく、カートリッジ２０のブランドが飲料抽出システム１００との使用に適合することを確認した後、第二の識別要素４４はスキャンされる。第一の構成要素４６および第二の識別要素４４の第二の構成要素４８は、逐次的にまたは同時にスキャンされ得る。第二の識別要素４４の第一の構成要素４６に含まれる情報は、その中に含まれる識別コードが有効であり、カートリッジ２０が以前に使用されていたかどうかを判定するために処理される。識別コードが有効な場合、第二の構成要素４８内に含まれる情報は、カートリッジ２０を使用して飲料の調製に関連付けられた少なくとも一つのパラメータにアクセスするように処理される。
【００３８】
プロセッサが、カートリッジ２０が認証されない、またはカートリッジ２０が飲料抽出システム１００との使用に適合できないという判断をする実施形態では、第二の識別要素４４が飲料抽出システム１００のスキャン装置４９によって読み取られない場合がある。別の方法として、第二の識別要素４４の第一の構成要素４６に含まれる識別コードが有効ではないか読み取り不可能な実施形態では、飲料抽出システム１００は、その中に含まれる情報を決定するために、第二の構成要素を処理しない。
【００３９】
本明細書に引用された刊行物、特許出願および特許を含む全ての参考文献は、あたかも各参考文献が個別におよび具体的に参照により組み込まれることが示され、その全体が本明細書に示されるのと同程度に、本明細書によって参照により組み込まれる。
【００４０】
用語「一つの（ａ）」、「一つの（ａｎ）」、「前記（ｔｈｅ）」および開示内容を説明する文脈中（特に、以下の特許請求の範囲における文脈中）の類似する指示対象は、本明細書中で特に示したり、明らかに文脈と矛盾したりしない限り、単数および複数の両方を包含するものと解釈される。「含む（ｃｏｍｐｒｉｓｉｎｇ）」、「有する（ｈａｖｉｎｇ）」、「含む（ｉｎｃｌｕｄｉｎｇ）」および「含む（ｃｏｎｔａｉｎｉｎｇ）」という用語は、別段の記載がない限り、オープンエンドの用語として解釈されるものとする（すなわち、「含むが、これに限定されない」を意味する）。本明細書の値の範囲の列記は、本明細書中で特に示さない限り、該範囲内の個々の値を個別に参照する簡略な方法として機能することが意図されるものであり、個々の値はそれぞれ本明細書に個別に記載されるものとして本明細書に組み込まれる。本明細書中で特に示したり、明らかに文脈と矛盾したりしない限り、本明細書に記載の全ての方法は、任意の適切な順序で実行可能である。本明細書で設けられるありとあらゆる例、または例示的な言語（例えばなど）の使用は、単に本開示をよりよく明らかにするためのものであり、特にクレームされていない限り、本開示の範囲を制限するものではない。本明細書中のいずれの語句も、特許請求しない任意の要素を本開示の実施に必須であると示すとは解釈されない。
【００４１】
本開示を実施するための発明者に公知の最良のモードを含む、本開示の例示的な実施形態を本明細書に記載する。これらの実施形態の変形は、前述の説明を読んで当業者にとって明らかとなりうる。発明者らは、当業者がこのような変形を適切なものとして採用することを期待しており、発明者は本開示を本明細書に特に記載されるもの以外に実施する意図を有する。従って、本開示は、適用法により許可されている特許請求の範囲に記載された主題の全ての修正および等価物を含む。さらに、本明細書に別段の指示がない限り、または別途文脈によって明らかに矛盾しない限り、その可能性のある全ての変形における上述の要素の任意の組み合わせは、本開示によって包含される。
【図１Ａ】
2020523259.tif 000003
【図１Ｂ】
2020523259.tif 000004
【図１Ｃ】
2020523259.tif 000005
【図２】
2020523259.tif 000006
【図３】
2020523259.tif 000007
【国際調査報告】
2020523259.tif 000008
2020523259.tif 000009
2020523259.tif 000010